(57)【要約】【課題】  不正行為を検出すると、それ以降遊技が行われないようにする。【解決手段】  スロットマシン１０は、複数のリールを収納する収納箱と、収納箱に設けた前面扉とを備える。前面扉は、上・下扉１４，１５で構成されている。上扉１４には、リールの絵柄を表示する表示窓１８が設けられている。下扉１５の奥の収納箱には、遊技時の利益付与確率を変更するための設定変更用操作部１９を備えている。下扉開放センサ３３が下扉１５の開放を検知すると、遊技不能手段が、表示窓１８の奥に遮蔽部材４５を挿入し、表示窓１８を遮蔽して遊技を不能にする。【選択図】        図６
2007044199.tif 000002
【特許請求の範囲】
【請求項１】
外周面に複数種類の図柄が配された複数のリールを表示窓の奥で回転させ、これらのリールの回転を停止したときに、表示窓に表示される図柄の組み合わせによって入賞の有無を決定する遊技機において、
前記表示窓を通して前記複数のリールの図柄を外部に視認させる視認状態と、前記表示窓を介して前記リールの視認を不可能にする遮蔽状態との間で可変自在な遮蔽手段と、
該遊技機に不正な行為が行われたことを検出する検出手段と、
通常は前記遮蔽手段を視認状態に保持しており、前記検出手段が不正な行為を検出することに応答して前記遮蔽手段を遮蔽状態に変える遊技不能手段と、
を備えたこと特徴とする遊技機。
【請求項２】
前記遮蔽手段は、前記表示窓を内側から遮蔽する遮蔽位置とこれから退避して前記複数のリールの図柄を外部に視認させる視認位置との間で移動自在に設けられた遮蔽部材となっており、
前記遊技不能手段は、通常は前記遮蔽部材を視認位置に維持しており、前記検出手段が不正の行為を検出することに応答して前記遮蔽部材を遮蔽位置に移動させることを特徴とする請求項１記載の遊技機。
【請求項３】
前記複数のリールを収納する収納箱と、前記収納箱に設けた前面扉とからなる筺体を備え、前記前面扉を上・下扉で構成し、前記上扉に表示窓を、また、前記上又は下扉の奥の収納箱に、遊技時の利益付与確率を変更するための設定変更用操作部をそれぞれ設けた遊技機であって、前記検出手段は、前記設定変更用操作部を露呈する方の扉の開放を検出することを特徴とする請求項１又は２記載の遊技機。
【発明の詳細な説明】
【技術分野】
【０００１】
本発明は、パチンコ店などの遊技場に設置して使用される遊技機に関するものである。
【背景技術】
【０００２】
近年、パチンコ機やスロットマシンでは、一定の価値を与えた遊技媒体（パチンコ球やコイン）を不正に獲得するための不正行為が増えている。
【０００３】
不正行為としては、遊技機の前面扉を開けて内部の設けた電源ボックスの電源を落とした後に、遊技プログラムを記憶した回路基板をすり換える行為や、前面扉を開けて抽選確率の設定変更を行うための設定用操作部を操作して設定値を変更するなどの行為がある。これらの不正行為に対処するために、遊技場では複数の監視カメラを設置して不正行為が行われているか否かの監視を行っている。また、遊技機の回路基板を透明なケースに収納し、回路基板が容易にすり替えられることを防止している（特許文献１）。また、不正行為に対して個別に防止策を施すのはコストが高くつくため、遊技機に設けた前面扉の内側に中扉を設け、これら二重の扉を施すことで、筺体内部に設けた不正行為対象となる部品の略全てを遮蔽するようにした遊技機も知られている（特許文献２）。
【特許文献１】特開平１１−７６５６９号公報
【特許文献２】特開２００３−１１７０５５号公報
【発明の開示】
【発明が解決しようとする課題】
【０００４】
しかしながら、前述した防止策は、いずれも、不正行為そのものを防止する策であり、不正行為が行われてしまった後は、そのことに気づかずそのまま遊技が行われてしまう。
【０００５】
本発明は、上記問題点を考慮してなされたもので、不正行為が行われた場合に遊技を行えないように工夫した遊技機を提供することを目的とする。
【課題を解決するための手段】
【０００６】
上記目的を達成するために、本発明の遊技機では、表示窓を通して複数のリールの図柄を外部に視認させる視認状態と、前記表示窓を介して前記図柄の視認を不可能にする遮蔽状態との間で可変自在な遮蔽手段と、該遊技機への不正が行われたことを検出する検出手段と、通常は前記遮蔽手段を視認状態に維持しており、前記検出手段が不正の行為を検出することに応答して前記遮蔽手段を遮蔽状態に変える遊技不能手段と、を備えたものである。
【０００７】
遮蔽手段としては、電気的に遮蔽する手段と、機械的に遮蔽する手段とが考えられる。機械的に遮蔽する手段としては、表示窓の内側に遮蔽部材をスライド自在に設け、不正行為の検出に応答して遮蔽部材を表示窓の背後に挿入する構成にしてもよい。また、遮蔽部材をリールの外周に回転自在に設け、不正行為の検出に応答して遮蔽部材を表示窓の背後に回転させるように構成してもよい。表示窓を遮蔽する範囲としては、全域でなくても、リールの図柄の視認が不可能になる一部の範囲でもよい。電気的に遮蔽する手段としては、表示窓に液晶表示板を設け、不正行為の検出に応答して液晶表示板に全面又は一部に黒色を表示して表示窓の視界を閉じることで遊技を不能にすればよい。
【０００８】
ところで、スロットマシンは、遊技時に動作するリールなどの各種機器や各種基板を収納する収納箱と、収納箱に設けた前面扉とを備えている。収納箱の内部には、遊技時の利益付与確率を変更するための設定変更用操作部を有する設定変更装置を備えている。不正行為には、前面扉を開いて設定変更操作部を操作して設定を変更する行為が多い。そこで、検出手段で前面扉の開放を検出したら表示窓を遮蔽するように構成するのが望ましい。また、前面扉を上下に分割したタイプがある。この場合、不正行為を検出する検出手段としては、少なくとも設定変更操作部を露呈する方の扉の開放を検出するように構成するのが望ましい。
【発明の効果】
【０００９】
本発明では、不正行為を検出する検出手段と、検出手段で不正行為を検出することに応答して表示窓を遮蔽状態に変える遊技不能手段とを備えているため、不正行為が行われたときに及びそれ以降、遊技を確実に不能にすることができる。
【発明を実施するための最良の形態】
【００１０】
本発明を用いた遊技機の一実施例であるスロットマシン（回胴式遊技機）１０は、図１及び図２に示すように、リールユニットや電気部品等を組み込んだ筺体１１を備えている。筺体１１は、前面扉１２と収納箱１３とからなる。前面扉１２は、上・下扉１４，１５とに分割されており、上・下扉１４，１５は、ヒンジ１６，１７により個別に開閉される。なお、上・下扉１４，１５は個別に施錠されており、上扉１４は下扉１５を開けてからでないと開かないように構成されている。
【００１１】
上扉１４には、透明板となっている表示窓１８が設けられている。表示窓１８からは、リールユニットの一部を構成する第１〜第３リール２１〜２３の一部を視認することができる。
【００１２】
周知のように、第１〜第３リール２１〜２３の外周には、複数種類の当選絵柄を含む絵柄が一定ピッチで配列され、１リールにつき３個の絵柄は、表示窓を通して観察することができる。なお、リール２１〜２３ごとに分けて視認することができるように表示窓１８を複数の窓で構成してもよい。
【００１３】
下扉１５には、メダルを投入するためのメダル投入口２５、スタートレバー２６、リールの動作を停止させるための第１〜第３ストップボタン２７〜２９、メダル受け皿３０、獲得したメダルを前記メダル受け皿３０に払い出す払い出し口３１などが設けられている。
【００１４】
メダル投入口２５に所定枚数のメダルを投入してスタートレバー２６を操作すると、第１〜第３リール２１〜２３が一斉に回転する。その後、第１〜第３ストップボタン２７〜２９を順番に操作することで第１〜第３リール２１〜２３の回転が停止する。このとき、リール毎に表示された絵柄を一個ずつ組み合わせてなる、例えば横３本斜め２本の合計５本の入賞有効ラインのうちのいずれかに、予め決められた絵柄が揃うことで、払い出し口３１からメダルが払い出される。
【００１５】
収納箱１３には、不正行為を検出するために、上・下扉開放スイッチ（検出手段）３２，３３がそれぞれ取り付けられている。上扉開放スイッチ３２は、上扉１４が僅かに開いたときに開放信号を出力する。下扉開放スイッチ３３も、下扉１５が僅かに開いたときに開放信号を出力する。
【００１６】
収納箱１３は、上下２段に仕切られた上・下収容部３４，３５を持っている。上収容部３４は上扉１４を開放することで内部が露呈され、また、下収容部３５は下扉１５を開放することで内部が露呈される。
【００１７】
上収容部３４には、リールユニット３６が組み込まれており、そのリールユニット３６の奥に、主制御基板などを封印した封印ケース（図示なし）が着脱自在に取り付けられている。下収容部３５には、払い出し口３１にメダルを払い出すメダルホッパー２０などが組み込まれており、メダルホッパー２０の上には、電源ボックス１９が取り付けられている。電源ボックス１９には、電源基板が内蔵されており、その電源基板は、スロットマシン１０全体の電源供給を統括的に制御する。
【００１８】
電源ボックス１９には、設定キースイッチ２８、電源スイッチ４３、及び、変更ボタン４４とが前面に向けて露呈して設けられている。設定変更の操作は、電源スイッチ４３をＯＦＦにする。設定キースイッチ２８は、施錠式のスイッチとなっており、電源スイッチ４３のＯＦＦ操作をした後に、専用の鍵を差し込んでその鍵をＯＦＦ位置からＯＮ位置に回転させて、次の電源スイッチのＯＮ操作を有効にする。次に電源スイッチ４３をＯＮに操作することで、通常（遊技）モードから設定変更モードにモードが変更される。設定変更モードに移行すると、それまで遊技モード用の表示がなされていた表示部２４（図１参照）に現時点の設定値が表示される。
【００１９】
変更ボタン４４は、設定値を変えるための操作部であり、設定表示部２４には操作に応答して変更後の設定置が表示部２４に表示される。設定値は、予め複数に決められており、複数の設定値は遊技者に利益を付与する複数の確率のそれぞれに予め対応付けされている。なお、設定値を変更した後には、スタートレバー２６を操作して設定変更を確定し、その後に、設定キースイッチ２８をＯＦＦ位置に回転して鍵を抜く。これにより、新たに設定した設定値が有効になる。これら設定キースイッチ２８、電源スイッチ４３、及び、変更ボタン４４が本発明の設定変更操作部を構成する。
【００２０】
図３に示すように、リールユニット３６は、第１〜第３リール２１〜２３、表示窓遮蔽機構３７、及び、第１〜第３リール２１〜２３と表示窓遮蔽機構３７とを支持する支持板３８とで構成されている。
【００２１】
第１〜第３リール２１〜２３は同様な構成をしており、以下、リールの構成については、第３リール２３を例に説明する。図４に示すように、第３リール２３は、リールテープ３９と、リールテープが巻きつけられるホイール４０と、ホイール４０を介してリールテープ３９を回転させるモータ４１とを備えており、モータ４１は支持側板４２に固定されている。モータ４１としては、入力されるパルス数に比例した回転角度が得られるステッピングモータが用いられている。リールテープ３９は、シート状の部材を帯状に形成したものであり、例えば薄い金属板や合成樹脂製のフィルムによって形成されている。表面には一定のピッチで図柄が印刷されている。なお、各モータ４１は、出力軸が同軸上になるように配されている。
【００２２】
表示窓遮蔽機構３７は、遮蔽部材４５、遮蔽部材４５を回転させる遮蔽用モータ４６、視認位置用センサ４７、及び、支持部材４８とで構成されている。遮蔽部材４５は、遮蔽板４９と腕板５０とからなり、本発明の遮蔽手段を構成する。遮蔽板４９は、表示窓１８から視認される第１〜第３リール２１〜２３を覆う断面円弧状の板となっており、第１〜第３リール２１〜２３の外周に配されている。この遮蔽板４９は、腕板５０の一端で支持されている。腕板５０の他端は遮蔽用モータ４６の出力軸に固定されている。遮蔽用モータ４１は、出力軸が第１〜第３リール２１〜２３用のモータ４１の出力軸と同軸上に配されるように、支持部材４８に固定されている。この遮蔽用モータ４６は、遮蔽部材４５を遮蔽位置と視認位置との間で回転させる。視認位置では、遮蔽板４９が表示窓１８の内から退避して、第１〜第３リール２１〜２３の一部を外部に視認させる位置である。遮蔽位置では、遮蔽板４９が表示窓１８の内に入り込んで表示窓１８を遮蔽する位置である。
【００２３】
なお、遮蔽板４９を回転軸方向の一方側に設けた腕部５０で片持ちにした構成としているが、他方側にも腕部を設け、回転軸方向の両側で持つ構成にしてもよい。また、遮蔽板４９の外面を黒色に施すのが好適である。また、遮蔽部材４５を黒色の樹脂で一体的に成型してもよい。
【００２４】
視認位置用センサ４７は、遮蔽部材に設けた遮光板５２と、遮蔽部材４５が視認位置のときに前記遮光板５２を検出する光電センサ５３とで構成されている。なお、遮蔽部材４５が視認位置に位置している旨を検出する手段としては、前述した構成以外に、周知の位置検出手段を採用することができる。
【００２５】
スロットマシン１０は、図５に示すように、大別して上収容部３４に設けた主制御基板５５、及び、電源基板５６とで電気的構成がなされている。スロットマシン１０の作動は、基本的に主制御基板５５によって管制される。電源基板５６は、電源ボックス１９に内蔵されており、電源スイッチ４３，変更ボタン４４，設定値表示部２４がそれぞれ接続されている。
【００２６】
主制御基板５５には、ＣＰＵ５６、ＲＯＭ５７、電子抽選部５８、当選役決定部５９が設けられている。ＲＯＭ５７は、ＣＰＵ５６に接続されており、ＣＰＵ５６で実行する、例えば不正行為の検出に応答して遮蔽部材４５を遮蔽位置に移動するプログラム、遮蔽部材４５を復帰するプログラム、遊技実行プログラム等の制御プログラムや、これらプログラムを実行する際に必要な制御データ等が記憶されている。電子抽選部５８は、乱数発生器を備え、乱数発生器で発生した乱数から１つの乱数を抽出する。抽出した乱数は、当選役決定部５９に送られ、当選役決定部５９は、ハズレ及び複数種類の当選役のいずれかになるかを、抽出した乱数に基づいてＲＯＭ５７に記憶した当選テーブルを参照して決定し、当選役信号をＣＰＵ５６に送る。
【００２７】
ＣＰＵ５６は、上扉開放スイッチ３２、下扉開放スイッチ３３、遮蔽用モータ４６用のドライバ６１、及び、遮蔽復帰用スイッチ６０、視認位置用センサ４７との間で電気的接続が個別になされている。このＣＰＵ５６は、上・下扉開放スイッチ３２，３３のいずれかから開放信号が得られることに応答して遮蔽信号をドライバ６１に送る。ドライバ６１は、遮蔽信号を受け取ることで、遮蔽用モータ４６を所定角度分だけ駆動して遮蔽部材４５を遮蔽位置に回転させるように制御する。遮蔽部材４５が遮蔽位置に回転すると、表示窓１８が内から遮蔽されて遊技が不能になる。前述したＣＰＵ５６、ドライバ６１、及び遮蔽用モータ４６等が本発明の遊技不能手段を構成する。
【００２８】
遮蔽部材４５は、通常、視認位置に維持されている。このとき、視認位置用センサ４７は、遮蔽部材４５が視認位置に位置している旨の視認位置信号を出力する。ＣＰＵ５６は、電源の立ち上がり時、及び通常の遊技中の所定のタイミングで視認位置用センサ４７を監視し、視認位置用センサ４７から視認位置信号が出力されていることを確認している。このとき、万が一、視認位置信号が得られない場合には、ドライバ６１を介して遮蔽用モータ４６を駆動して遮蔽部材４５を視認位置に確実に戻す制御を行う。
【００２９】
遮蔽復帰用スイッチ６０は、上収容部３４の奥に設けられており（図２参照）、遮蔽部材４５を遮蔽位置から視認位置に復帰するときに操作する。ＣＰＵ５６は、遮蔽復帰用スイッチ６０から復帰信号が得られることに応答してドライバ６１を介して遮蔽用モータ４６を駆動して遮蔽部材４５を視認位置に戻す。
【００３０】
３個のストップボタン２７〜２９、スタートレバー２６、通過検知センサ６３、変更ボタン４４、スピーカー６４、リール駆動コントローラ６６、ＬＣＤ表示部６５、及び、メダルホッパー２０などとの間で電気的接続が個別になされており、３個のストップボタン２７〜２９、スタートレバー２６、通過検知センサ６３、変更ボタン４４からそれぞれ個別に入力される信号に基づいて、スピーカー６４、リール駆動コントローラ６６、メダルホッパー２０、及び、ＬＣＤ表示部６５をそれぞれ駆動制御する。
【００３１】
通過検知センサ６３は、メダル投入口２５から投入されたメダルを検知し、メダル検知信号をＣＰＵ５６に送る。ＣＰＵ５６は、メダル検知信号に基づいて計数し、入賞有効ラインを有効化する本数を決定する。
【００３２】
スタートレバー２６は、メダルが投入された後に、遊技スタート信号をＣＰＵ５６に入力する。ＣＰＵ５６は、遊技スタート信号を受けて、電子抽選部５８で乱数をサンプリングさせ、当選役決定部５９で当選役を決定させるとともに、ＲＯＭ５７に記憶された遊技を実行させるためのプログラムに基づいてリール駆動コントローラ６６を制御し、リールユニット３６の第１〜第３リール２１〜２３を個別に回転させる。
【００３３】
３個のストップボタン２７〜２９は、各リール２１〜２３の回転を停止させるためのボタンであり、操作されることでＣＰＵ５６に停止信号をそれぞれ送る。ＣＰＵ５６は、第１〜第３リール２１〜２３が回転中のみ停止信号を受け付け、停止信号を受けることに応答して、当選役に対応する絵柄となるように、第１〜第３リール２１〜２３の停止を個別に制御をする。その後に、ＣＰＵ５６は、当選役の種類に応じてメダルの払い出しの有無を決定し、払い出しが必要か否か、及びそのときの払出枚数を、ＲＯＭ５８に記憶したテーブルを参照して決定し、払い出しが必要な場合には決定した枚数に応じた払出信号をメダルホッパー２０に送る。メダルホッパー２０は、払出信号に応じて規定枚数の配当メダルをメダル受け皿３０に払い出す。
【００３４】
次に、上記構成の作用を簡単に説明する。遊技中を含めて通常は、上・下扉１４，１５が閉じている。このため、上・下扉開放スイッチ３２，３３は、通常閉じ信号を出力している。不正行為によって上又下扉１４，１５が開かれると、上又は下扉開放スイッチ３２，３３からＣＰＵ５６に開放信号が出力される。ＣＰＵ５６は、上又は下扉開放スイッチ３２，３３のいずれかから開放信号が得られることに応答して遮蔽信号をドライバ６１に送る。ドライバ６１は、遮蔽信号を受け取ることで、遮蔽用モータ４６を所定角度分だけ駆動して遮蔽部材４５を遮蔽位置に回転させるように制御する。
【００３５】
遮蔽用モータ４６が駆動すると、腕部５０と一緒に遮蔽板４９が回転し、遮蔽板４９が表示窓１８の背後に挿入される。これにより、図６に示すように、遮蔽板４９により表示窓１８が内から遮蔽されて第１〜第３リール２１〜２３を視認することが不可になり、よって不正行為による遊技を確実に不能にすることができる。
【００３６】
遮蔽部材４５を元の位置に復帰するときには、上扉１４を開いて、上収容部３４の奥に設けた遮蔽復帰用スイッチ６０を操作する。また、長期的に使用すると、検査や修理などで下扉１５を開放する。このときも、遮蔽部材４５が遮蔽位置に回転するので、前述したと同様の操作をして遮蔽部材４５を視認位置に復帰させればよい。なお、ＣＰＵ５６は、復帰信号を得てから上・下扉１４，１５が閉められるまでの一定時間を経過するまで、上・下扉開放スイッチ３２，３３の監視を行わない。なお、遮蔽復帰用スイッチ６０では、簡単に解除されてしまうおそれがある。この場合には、施錠式スイッチや指紋認識機構を用いた解除操作、あるいはホールコンピュータと接続されている場合にはホールコーピュータでの操作によって解除信号を発生し、その信号を受け取ることで解除するように構成してもよい。
【００３７】
上記実施形態では、遮蔽用モータ４６を用いて遮蔽部材４５を回転させる構成にしているが、遮蔽用モータ４６を用いずに、安価なバネの力で遮蔽部材４５を回転させるように構成してもよい。この場合には、図７に示すように、遮蔽部材４５、バネ７０、遮蔽位置用ストッパ７１、及び、ソレノイド７２を設けたルールユニット７３を設ける。バネ７０は、遮蔽部材４５を遮蔽位置に向けて付勢している。ソレノイド７２は、通常はプランジャーを突出位置に維持しており、そのプランジャーで遮蔽部材４５をバネ７０の不正に抗して視認位置に保持している。
【００３８】
ＣＰＵ５６は、不正行為を検出すると、ドライバを介してソレノイド７２を駆動してプランジャーを退避させる制御を行う。遮蔽部材４５は、プランジャーが退避すると、バネ７０の付勢により遮蔽位置に向けて回転し、遮蔽位置用ストッパ７１に当接することで遮蔽位置に保持される。復帰するときには、上扉１４を開放し、手動で遮蔽部材４５をバネ７０の付勢に抗して視認位置まで戻す。このとき、プランジャーを押し込むことで、腕部５０がプランジャーを乗り越える。
【００３９】
さらに、遮蔽手段としては、遮蔽部材４５を回転させる構成ではなく、ギロチンシャッタのように、表示窓１８の背後で直線的に移動させる構成にしてもよい。この場合には、断面矩形の遮蔽板を用いる。また、この場合、遮蔽手段としてはリールユニットに設ける代わりに、上扉１４の背面、すなわち表示板１８の背後に設けても良い。
【００４０】
また、遮蔽手段としては、電気的に表示窓１８を遮蔽する構成にしてもよい。例えば、表示窓１８を透過型の液晶表示板とし、不正行為の検出に応答して液晶表示板に黒マスクを表示して表示窓１８の内部の視認を不可にするように構成してもよい。さらに、遮蔽する範囲としては、表示窓１８の全部に限らず一部のみを遮蔽するようにしてもよい。
【００４１】
さらに、上記各実施形態では、設定変更操作部を露呈する方の下扉１５の開放を不正行為と見なして検出しているが、本発明ではこれらに限らず、上扉１４の奥に設定変更操作部を設けている場合には、上扉１４の開放を検出するように構成してもよい。また、上・下扉１４，１５の開放を監視する以外に、例えば主制御基板５５などの基板の取り外しを不正行為として監視してもよい。この場合、基板に接続されるケーブルが抜かれるため、そのケーブルとの間に断線センサを設け、断線センサとＣＰＵとを接続するように構成すればよい。
【００４２】
また、ホール管理者は、営業時間内に扉１４，１５を開けることはあるが、設定変更の操作を行うことはない。そこで、タイマ回路を設け、営業時間内では扉１４，１５の開放を検知する代わりに、設定変更の操作が行われることを不正操作としては検知するように構成してもよい。
【００４３】
また、上記各実施形態では、前面扉を上・下扉１４，１５の２枚で構成しているが、本発明ではこれに限らず、上・中・下との３枚の扉で構成してもよいし、３枚以上の扉で構成してもよい。勿論１枚の扉で構成してもよい。この場合も設定変更操作部を露呈する方の扉の開放を検出するように構成すればよい。
【００４４】
上記実施形態では、横３本斜め２本で計５本の入賞有効ラインに揃う図柄を表示する表示窓１８を備えたスロットマシン１０について説明しているが、本発明では５本以外の入賞有効ラインをもつスロットマシンにも適用することができ、また、メダルの代わりにパチンコ球で遊技を行うパロットと称するタイプのスロットマシンにも適用することができる。さらには、リール駆動タイプのスロットマシンに限らず、当たりハズレなどの役を表示する表示窓を備えた他の遊技機にも適用することができるのは言うまでもない。
【図面の簡単な説明】
【００４５】
【図１】本発明を実施したスロットマシンを示す斜視図である。
【図２】上・下扉を開放したスロットマシンを示す斜視図である。
【図３】遮蔽手段を組み込んだリールユニットの要部を示す斜視図である。
【図４】図３で説明したリールユニットの要部を示す断面図である。
【図５】スロットマシンの電気的構成を示すブロック図である。
【図６】下扉を開放したときに表示窓が遮蔽板で遮蔽されたスロットマシンを示す斜視図である。
【図７】遮蔽手段の別の例を示すリールユニットの要部を示す斜視図である。
【符号の説明】
【００４６】
１０  スロットマシン
１８  表示窓
１４，１５  上・下扉
４５  遮蔽部材
４９  遮蔽板
４６  遮蔽用モータ
４７  視認位置検出用センサ
【図１】
2007044199.tif 000003
【図２】
2007044199.tif 000004
【図３】
2007044199.tif 000005
【図４】
2007044199.tif 000006
【図５】
2007044199.tif 000007
【図６】
2007044199.tif 000008
【図７】
2007044199.tif 000009